(57)【要約】【課題】吸磁力を利用して床上設置体を床上に強固に固定したり移動可能状態に切替えることができ、また、転倒も確実に防止することができ、また、移動も容易であり、また、床上設置体を自走的に移動させることができる床上設置体用固定状態切替えシステムを提供すること。【解決手段】床上設置体の床上に対する固定状態を固定または移動可能に切替える床上設置体用固定状態切替えシステムにおいて、前記床上に強磁性体部材を設置し、前記床上設置体に吸磁力の大きさを変化させて前記強磁性体部材の表面に着脱自在に取付けられる磁力固定部を設けたことを特徴とする。【選択図】  図１
2011167224.tif 000002
【特許請求の範囲】
【請求項１】
床上設置体の床上に対する固定状態を固定または移動可能に切替える床上設置体用固定状態切替えシステムにおいて、前記床上に強磁性体部材を設置し、前記床上設置体に吸磁力の大きさを変化させて前記強磁性体部材の表面に着脱自在に取付けられる磁力固定部を設けたことを特徴とする床上設置体用固定状態切替えシステム。
【請求項２】
前記強磁性体部材は、薄鋼板により形成されていることを特徴とする請求項１に記載の床上設置体用固定状態切替えシステム。
【請求項３】
前記磁力固定部材は、吸磁力を有する永久磁石と、前記永久磁石による吸磁力を変更させる吸磁力変更部材とを有することを特徴とする請求項１または請求項２に記載の床上設置体用固定状態切替えシステム。
【請求項４】
前記床上設置体は、マネキンであることを特徴とする請求項１から請求項３のいずれか１項に記載の空間仕切り装置。
【請求項５】
前記床上設置体は、床上を走行する走行手段を有することを特徴とする請求項１から請求項４のいずれか１項に記載の床上設置体用固定状態切替えシステム。
【請求項６】
前記走行手段は、床上の所定の経路に沿って走行可能に形成されていることを特徴とする請求項５に記載の床上設置体用固定状態切替えシステム。
【発明の詳細な説明】
【技術分野】
【０００１】
本発明は床上設置体用固定状態切替システムに係り、特に床上設置体の床上に対する固定状態を切替えるのに好適な床上設置体用固定状態切替えシステムに関する。
【背景技術】
【０００２】
従来から床上設置体としてはマネキンのような床上の設置位置を移動させるものが知られている。このようなマネキンは、例えば店舗内の陳列領域の床上に立てて設置されることが多く、しかもその設置位置を頻繁に移動させて使用されることが多い。
【０００３】
このようなマネキンは、頭部、胴部、腕部、手部、脚部等からなる本体部を備えているものが多く、本体部が相応の重量を有するので、倒れないように設置するために、脚部もしくは本体部から下方に延出した支柱をカウンタ重量として作用する台座部に立設して床上に設置されるように形成されている（例えば、特許文献１参照）。
【先行技術文献】
【特許文献】
【０００４】
【特許文献１】特開２００７−０１４５４５号公報
【発明の概要】
【発明が解決しようとする課題】
【０００５】
前記従来の床上設置体の１種としてのマネキンにおいては、誤ってマネキンに人や物が衝突すると相当の重量を有する台座部があっても、強制的に設置位置を移動されたり、ひどい時にはマネキンが転倒してしまうという不都合があった。また、台座部が相当の重量を有しているために設置位置を移動させる場合に人手と時間を要するという不都合があった。
【０００６】
本発明は、これらの問題点に鑑みてなされたものであり、吸磁力を利用して床上設置体を床上に強固に固定したり移動可能状態に切替えることができ、また、転倒も確実に防止することができ、また、移動も容易であり、また、床上設置体を自走的に移動させることができる床上設置体用固定状態切替えシステムを提供することを目的とする。
【課題を解決するための手段】
【０００７】
前記目的を達成するために、本発明の第１の態様の床上設置体用固定状態切替えシステムは、床上設置体の床上に対する固定状態を固定または移動可能に切替える床上設置体用固定状態切替えシステムにおいて、前記床上に強磁性体部材を設置し、前記床上設置体に吸磁力の大きさを変化させて前記強磁性体部材の表面に着脱自在に取付けられる磁力固定部を設けたことを特徴とする。
【０００８】
このような構成の本発明によれば、床上を形成する強磁性体部材に磁力固定部材の吸磁力を変化させて着脱させることにより床上設置体の床上に対する固定状態を固定または移動可能に切替えることができる。また、磁力固定部材の吸磁力をもって床上を形成する強磁性体部材に強固に固定することができるので、床上設置体の転倒も確実に防止することができる。また、磁力固定部材の吸磁力を弱く変化させることにより床上設置体を床上に対して移動自在とさせることができ、移動も容易に行うことができる。
【０００９】
また、本発明の第２の態様の床上設置体用固定状態切替えシステムは、前記強磁性体部材が薄鋼板により形成されていることを特徴とする。
【００１０】
このような構成の本発明によれば、強磁性体部材が薄鋼板であるために、床上に設置容易であり、しかも既設の床にも簡単に設置することができる。
【００１１】
また、本発明の第３の態様の床上設置体用固定状態切替えシステムは、前記磁力固定部材が吸磁力を有する永久磁石と、前記永久磁石による吸磁力を変更させる吸磁力変更部材とを有する。
【００１２】
このような構成の本発明によれば、吸磁力変更部材を操作することにより永久磁石による吸磁力を変更させることができ、床上を形成する強磁性体部材に対して磁力固定部材を容易に着脱させることができ、作業時間を短縮させることができる。
【００１３】
また、本発明の第４の態様の床上設置体用固定状態切替えシステムは、前記床上設置体がマネキンであることを特徴とする。
【００１４】
このような構成の本発明によれば、床上設置体としてのマネキンを床上を形成する強磁性体部材に磁力固定部材の吸磁力を変化させて着脱させることにより床上に対する固定状態を固定または移動可能に切替えることができる。また、磁力固定部材の吸磁力をもって床上を形成する強磁性体部材に強固に固定することができるので、マネキンの転倒も確実に防止することができる。また、磁力固定部材の吸磁力を弱く変化させることによりマネキンを床上に対して移動自在とさせることができ、移動も容易に行うことができる。
【００１５】
また、本発明の第５の態様の床上設置体用固定状態切替えシステムは、前記床上設置体が床上を走行する走行手段を有することを特徴とする。
【００１６】
このような構成の本発明によれば、走行手段をもって床上設置体を走行させることができる。
【００１７】
また、本発明の第６の態様の床上設置体用固定状態切替えシステムは、前記走行手段が床上の所定の経路に沿って走行可能に形成されていることを特徴とする。
【００１８】
このような構成の本発明によれば、床上設置体を床上の所定の経路に沿って走行させることができる。
【発明の効果】
【００１９】
本発明によれば、吸磁力を利用して床上設置体を床上に強固に固定したり移動可能状態に切替えることができ、また、転倒も確実に防止することができ、また、移動も容易であり、また、床上設置体を自走的に移動させることができる床上設置体用固定状態切替えシステムを提供することができる。
【図面の簡単な説明】
【００２０】
【図１】本発明の床上設置体用固定状態切替えシステムの第１実施形態を示す斜視図
【図２】図１の一部縦断拡大正面図
【図３】本発明の床上設置体用固定状態切替えシステムの第２実施形態を示す図２と同様の一部縦断拡大正面図
【図４】本発明の床上設置体用固定状態切替えシステムの第３実施形態を示す平面図
【図５】図４のA−A線に沿った一部縦断拡大断面図
【発明を実施するための形態】
【００２１】
以下、本発明の実施の形態を図１から図５について、詳細に説明する。
【００２２】
図１および図２は本発明の床上設置体用固定状態切替えシステムの第１実施形態を示す。
【００２３】
本実施形態の床上設置体用固定状態切替えシステムは、床上１に対して床上設置体３としてマネキン４を設置する例を示している。このマネキン４は床上１に対する固定状態を固定または移動可能に切替え自在に形成されている。
【００２４】
更に説明すると、床上１の表面側の全面に強磁性体部材としての薄鋼板２が接着若しくは鋲止め等の固着方法によって床上１と一体となるように形成されている。薄鋼板２の表面には後述する磁力固定部材１１の吸磁力を阻害しない程度の床上を装飾する樹脂層（有機樹脂、有機樹脂フィルム、無機物、あるいはこれらを組み合わせたもの）印刷層等の被覆等が施されていてもよい。薄鋼板２の板厚については、５０μｍ〜１０００μｍの範囲からマネキン４の重量、吸磁力の大きさ等に応じて選択するとよい。また、薄鋼板２の設置領域は床上１の全体とする他に、予め設計された磁力固定部材１１の位置変更位置に合わせた床上１の一部分としても良い。更に、薄鋼板２に変えて床部を形成する梁材等の鋼材としても良い。
【００２５】
本実施形態のマネキン４は、頭部５、胴部６、腕部７、手部８、脚部９からなる本体部４ａを備えており、脚部９を台座部１０に立設して床上に設置されるように形成されている。
【００２６】
マネキン４の台座部１０の底面部分には、吸磁力の大きさを変化させて強磁性体部材である薄鋼板２に着脱自在に取付けられる少なくとも１個の磁力固定部材１１が固着されている。この磁力固定部材１１としては、例えば特開２０００−１１４０３２号公報等に開始されている公知の構成の装置を用いるとよい。具体的には、磁力固定部材１１の外ケース１２の内部に永久磁石１３が内蔵されており、レバー１４ａをもって回転させられて永久磁石１３による吸磁力をオン・オフに変更させる吸磁力変更部材１４を主たる構成要素として形成されているとよい。その吸磁力の大きさは、マネキン４が人や物が衝突した際に、移動したり転倒することを防止できる大きさに設定するとよい。
【００２７】
次に、本実施形態の作用を説明する。
【００２８】
本実施形態の床上設置体用固定状態切替えシステムにおいて床上設置体３としてのマネキン４を設置するには、予め床に強磁性体部材である薄鋼板２を床上１を形成する部材として固着させておく。強磁性体部材が薄鋼板２であるために、床上１に設置容易であり、しかも既設の床にも簡単に設置することができる。
【００２９】
そして、本実施形態のマネキン４を床上１に設置するには、設置位置に台座１０を定位させ、その後に磁力固定部材１１の吸磁力変更部材１４のレバー１４ａをオフからオンに切り換えて永久磁石１３の吸磁力を最大に変更して磁力固定部材１１を薄鋼板２に吸磁力によって固着させる。このように磁力固定部材１１の吸磁力をもって床上１を形成する強磁性体部材である薄鋼板２に強固に固定することができるので、床上設置体３であるマネキン４の移動若しくは転倒も確実に防止することができる。
【００３０】
また、店舗内の模様替え等の目的に応じてマネキン４の設置位置を変える場合には、吸磁力変更部材１４のレバー１４ａをオンからオフに切り換えて永久磁石１３の吸磁力を最小に変更して、新しい設置場所に移動させて前記と同様の設置作業によって再設置する。このように磁力固定部材１１の吸磁力を弱く変化させることにより床上設置体であるマネキン４を床上１に対して移動自在とさせることができ、移動も容易に行うことができる。
【００３１】
本実施形態の床上設置体用固定状態切替えシステムによれば、床上１を形成する強磁性体部材の薄鋼板２に磁力固定部材１１の吸磁力を変化させて着脱させることにより床上設置体３であるマネキン４の床上１に対する固定状態を固定または移動可能に容易に切替えることができる。また、
【００３２】
また、吸磁力変更部材１１を操作することにより永久磁石１３による吸磁力を変更させることができ、床上１を形成する強磁性体部材である薄鋼板２に対して磁力固定部材１１を容易に着脱させることができ、作業時間を短縮させることができる。
【００３３】
次に、本発明の第２実施形態を図３により説明する。
【００３４】
本実施形態の床上設置体用固定状態切替えシステムは、床上設置体３のマネキン４の台座部１０の下面にロール、ローラー、ボール等からなる回転体１６によって形成されている走行手段１５を装着したものである。この回転体１６は図示しない出入機構によって、台座部１０の底面より下端面が出入自在に変位できるように形成されている。その他の構成は第１実施形態と同一であり、同一符号を付して説明を省略する。
【００３５】
次に、本実施形態の作用を説明する。
【００３６】
本実施形態においては、マネキン４を移動させる場合に、図３に示すように、回転体１６を台座部１０の底面より下方に露出させておくとともに、吸磁力変更部材１４のレバー１４ａをオンからオフに切り換えて永久磁石１３の吸磁力を最小に変更し、当該回転体１６を回転させて小さな移動力によってマネキン４を新しい設置場所に移動させ、次に回転体１６を台座部１０の底面より内側に引き込んで、台座部１０の底面を薄鋼板２上に載置させ、吸磁力変更部材１４のレバー１４ａをオフからオンに切り換えて永久磁石１３の吸磁力を最大に変更して磁力固定部材１１を薄鋼板２に吸着させて再設置する。
【００３７】
このように走行手段１５を設けることにより極めて容易にかつ短時間にマネキン４の移動作業を進めることができる。
【００３８】
次に、本発明の第３実施形態を図４および図５により説明する。
【００３９】
本実施形態の床上設置体用固定状態切替えシステムは、走行手段１５によって床上１の所定の経路に沿って床上設置体３であるマネキン４を走行可能に形成したものである。
【００４０】
具体的には、走行手段１５を第２実施例の構成に加えて更に自走式に形成したものである。
【００４１】
図４に示すように薄鋼板２の上には平面視細長楕円状の側面にラック１８が形成されているレール１７を設置して環状の走行経路を形成している。このレール１７上には複数のマネキン４が台座部１０によってレール１７を跨ぐようにして装着されている。図５に示すように、台座部１０のレール１７を跨ぐ両側の底面部分には第２実施形態と同様にして磁力固定部材１１とロール、ローラー、ボール等からなる回転体１６とが設けられている。台座部１０の中央部の凹部にはモータ１９が装着されており、当該モータ１９によってレール１７のラック１７に噛合しているピニオン２０を回転させて台座部１０およびマネキン４を走行させるようになっている。モータ１９は図示しないバッテリを電源とし、リモコン等の沿革操作によって回転させられるように形成されている。
【００４２】
次に、本実施形態の作用を説明する。
【００４３】
本実施形態においては、マネキン４を移動させる場合に、図５に示すように、回転体１６を台座部１０の底面より下方に露出させておくとともに、吸磁力変更部材１４のレバー１４ａをオンからオフに切り換えて永久磁石１３の吸磁力を最小に変更し、モータ１９によってピニオン２０を回転させるとともに回転体１６も回転させて、台座部１０およびマネキン４をレール１７に沿って走行させる。
【００４４】
これにより各マネキン４が自走することとなり、マネキン４に着せた衣服を移動させてディスプレイすることができる。
【００４５】
マネキン４を固定する場合には、モータ１９の回転を停止させてマネキン４を所定位置に停止させ、その後に回転体１６を台座部１０の底面より内側に引き込んで、台座部１０の底面を薄鋼板２上に載置させ、吸磁力変更部材１４のレバー１４ａをオフからオンに切り換えて永久磁石１３の吸磁力を最大に変更して磁力固定部材１１を薄鋼板２に吸着させてマネキン４を固着させる。
【００４６】
なお、本発明は前記実施形態のみに限定されるものではなく、必要に応じて変更することができるものである。
【符号の説明】
【００４７】
１  床上
２  薄鋼板
３  床上設置体
４  マネキン
１１  磁力固定部材
１３  永久磁石
１４  吸磁力変更部材
１５  走行手段
【図１】
2011167224.tif 000003
【図２】
2011167224.tif 000004
【図３】
2011167224.tif 000005
【図４】
2011167224.tif 000006
【図５】
2011167224.tif 000007